(57)【要約】【課題】  配達済みの年賀状や手書きの住所録等の紙媒体に記載された情報に基づいて、宛名データを作成し、これを提供するサービス、及び、配達済みの年賀状や手書きの住所録等の紙媒体に記載された情報に基づいて作成した宛名データから、宛名ラベルを作成し、これを提供するサービスの開示・利用を目的とする。【解決手段】  宛名データが、前記注文者によって予め提供される紙媒体に記載された情報に基づいて作成されていることを特徴とする宛名データ提供サービス。宛名ラベルに印字された送付先の情報が電子データに基づいて取得されており、前記電子データが、前記注文者によって予め提供される紙媒体に記載された情報に基づいて作成されていることを特徴とする宛名ラベル提供サービス。【選択図】なし【特許請求の範囲】
【請求項１】
送付先の情報が電子データ化された宛名データを注文者に提供する宛名データ提供サービスであって、前記宛名データが、前記注文者によって予め提供される紙媒体に記載された情報に基づいて作成されていることを特徴とする、宛名データ提供サービス。
【請求項２】
送付先の情報が電子データ化された宛名データを注文者に提供する宛名データ提供サービスであって、前記宛名データが、前記注文者によって予め提供される紙媒体であって、前記注文者宛に配達された紙媒体に記載された情報に基づいて作成されており、
前記宛名データと共に、前記紙媒体の片面又は両面をスキャニングして得られる画像データも提供されることを特徴とする、宛名データ提供サービス。
【請求項３】
送付先の情報が電子データ化された宛名データを注文者に提供する宛名データ提供サービスであって、前記宛名データが、前記注文者によって予め提供される年賀状であって、前記注文者宛に配達された年賀状に記載された情報に基づいて作成されており、
前記宛名データと共に、前記年賀状の片面又は両面をスキャニングして得られる画像データも提供されることを特徴とする、宛名データ提供サービス。
【請求項４】
送付先の情報が印字された宛名ラベルを注文者に提供する宛名ラベル提供サービスであって、前記宛名ラベルに印字された送付先の情報が電子データに基づいて取得されており、前記電子データが、前記注文者によって予め提供される紙媒体に記載された情報に基づいて作成されていることを特徴とする、宛名ラベル提供サービス。
【請求項５】
送付先の情報が印字された宛名ラベルを注文者に提供する宛名ラベル提供サービスであって、前記宛名ラベルに印字された送付先の情報が電子データに基づいて取得されており、前記電子データが、前記注文者によって予め提供される紙媒体であって、前記注文者宛に配達された紙媒体に記載された情報に基づいて作成されており、
前記宛名ラベルと共に、前記紙媒体の片面又は両面をスキャニングして得られる画像データが保存された記憶媒体も提供されることを特徴とする、宛名ラベル提供サービス。
【請求項６】
送付先の情報が印字された宛名ラベルを注文者に提供する宛名ラベル提供サービスであって、前記宛名ラベルに印字された送付先の情報が電子データに基づいて取得されており、前記電子データが、前記注文者によって予め提供される年賀状であって、前記注文者宛に配達された年賀状に記載された情報に基づいて作成されており、
前記宛名ラベルと共に、前記年賀状の片面又は両面をスキャニングして得られる画像データが保存された記憶媒体も提供されることを特徴とする、宛名ラベル提供サービス。
【発明の詳細な説明】
【技術分野】
【０００１】
本発明は、配達済みの年賀状や手書きの住所録等の紙媒体に記載された情報に基づいて、宛名データを作成し、これを提供するサービス、及び、配達済みの年賀状や手書きの住所録等の紙媒体に記載された情報に基づいて作成した宛名データから、宛名ラベルを作成し、これを提供するサービスに関する。
【背景技術】
【０００２】
従来より、郵便物等の宛名書きは、郵便番号、住所、氏名等を、送付先毎に筆記用具を使用して書き入れる必要があり、作業者にとって負担が大きい繁雑な作業であった。特に、郵便物のうち、新年の挨拶として送付する年賀状は、毎年、年末の多忙な時期に、所定の期限までに間に合うように、数多くの宛名書きを行う必要があり、作業者にとって非常に大きな負担となっていた。
【０００３】
そこで、近年においては、このような宛名書きの作業負担を軽減するため、郵便物の表面に宛名データを印字したり、郵便物の表面に貼付するための宛名ラベルを作成したりする機能を有する、パーソナルコンピュータ用のアプリケーションソフトウェア等が、市場で提供されるようになっている。特に、このようなアプリケーションソフトウェアのうち、年賀状向けのものは、非常に数多く提供され、利用されている。
【０００４】
しかしながら、このようなアプリケーションソフトウェアを利用する場合であっても、送付先の郵便番号、住所、氏名等といった宛名データについては、電子データとして作成する必要があるため、年賀状等の作成者自身が、少なくとも一度は、パーソナルコンピュータ等を利用して、宛名データを電子データ化する作業を行わなくてはならない、という問題があった。
【０００５】
また、電子データ化した宛名データを一度作成しても、送付先の郵便番号、住所、氏名等といった宛名データが、送付相手の転居等によって変更された場合には、その都度、修正を行わなくてはならない、という問題もあった。
【０００６】
さらに、パーソナルコンピュータ等を所有してない人や、所有していても、前述したような年賀状向けのアプリケーションソフトウェアを使いこなせない人にとっては、結局、宛名書きを自分自身が手書きで行う必要があり、やはり大きな作業負担が生じてしまうという問題があった。
【０００７】
本願発明者は、このような実情のもと、年賀状等の宛名書きの作業負担を軽減することができる方法について、鋭意検討を重ねた。その結果、本願発明者は、配達済みの年賀状や手書きの住所録等の紙媒体に記載された情報に基づいて、宛名データや宛名ラベルを作成し、これらを提供することによって、以上のような問題を解決することができるという知見を得、本発明を創作するに至った。
【０００８】
なお、本発明を出願するにあたって、本願発明者や出願人において、過去の特許文献等を調査したところ、下記の文献を発見することができたが、本発明に係る技術的思想等を詳述したものについては、発見することができなかった。
【先行技術文献】
【特許文献】
【０００９】
【特許文献１】特開平１１  −  ４６２４９号公報
【特許文献２】特開２００３−１０４５５７号公報
【発明の概要】
【発明が解決しようとする課題】
【００１０】
本発明は、配達済みの年賀状や手書きの住所録等の紙媒体に記載された情報に基づいて、宛名データを作成し、これを提供するサービス、及び、配達済みの年賀状や手書きの住所録等の紙媒体に記載された情報に基づいて作成した宛名データから、宛名ラベルを作成し、これを提供するサービスの開示・利用を目的とする。
【課題を解決するための手段】
【００１１】
そのための手段として、本発明に係る宛名データ提供サービスは、送付先の情報が電子データ化された宛名データを注文者に提供する宛名データ提供サービスであって、前記宛名データが、前記注文者によって予め提供される紙媒体に記載された情報に基づいて作成されていることを特徴としている。
【００１２】
また、本発明に係る宛名データ提供サービスは、送付先の情報が電子データ化された宛名データを注文者に提供する宛名データ提供サービスであって、前記宛名データが、前記注文者によって予め提供される紙媒体であって、前記注文者宛に配達された紙媒体に記載された情報に基づいて作成されており、前記宛名データと共に、前記紙媒体の片面又は両面をスキャニングして得られる画像データも提供されることも特徴としている。
【００１３】
さらに、本発明に係る宛名データ提供サービスは、送付先の情報が電子データ化された宛名データを注文者に提供する宛名データ提供サービスであって、前記宛名データが、前記注文者によって予め提供される年賀状であって、前記注文者宛に配達された年賀状に記載された情報に基づいて作成されており、前記宛名データと共に、前記年賀状の片面又は両面をスキャニングして得られる画像データも提供されることも特徴としている。
【００１４】
また、本発明に係る宛名ラベル提供サービスは、送付先の情報が印字された宛名ラベルを注文者に提供する宛名ラベル提供サービスであって、前記宛名ラベルに印字された送付先の情報が電子データに基づいて取得されており、前記電子データが、前記注文者によって予め提供される紙媒体に記載された情報に基づいて作成されていることを特徴としている。
【００１５】
さらに、本発明に係る宛名ラベル提供サービスは、送付先の情報が印字された宛名ラベルを注文者に提供する宛名ラベル提供サービスであって、前記宛名ラベルに印字された送付先の情報が電子データに基づいて取得されており、前記電子データが、前記注文者によって予め提供される紙媒体であって、前記注文者宛に配達された紙媒体に記載された情報に基づいて作成されており、前記宛名ラベルと共に、前記紙媒体の片面又は両面をスキャニングして得られる画像データが保存された記憶媒体も提供されることも特徴としている。
【００１６】
また、本発明に係る宛名ラベル提供サービスは、送付先の情報が印字された宛名ラベルを注文者に提供する宛名ラベル提供サービスであって、前記宛名ラベルに印字された送付先の情報が電子データに基づいて取得されており、前記電子データが、前記注文者によって予め提供される年賀状であって、前記注文者宛に配達された年賀状に記載された情報に基づいて作成されており、前記宛名ラベルと共に、前記年賀状の片面又は両面をスキャニングして得られる画像データが保存された記憶媒体も提供されることも特徴としている。
【発明の効果】
【００１７】
本発明によれば、配達済みの年賀状や手書きの住所録等の紙媒体に記載された情報に基づいて、宛名データを作成し、これを提供するサービス、及び、配達済みの年賀状や手書きの住所録等の紙媒体に記載された情報に基づいて作成した宛名データから、宛名ラベルを作成し、これを提供するサービスを開示・利用することができる。
【発明を実施するための形態】
【００１８】
以下、本発明に係る宛名データ提供サービス、及び、宛名ラベル提供サービスを実施するための形態について説明する。まずは、第一の実施形態として、宛名データ提供サービスについて説明する。
【００１９】
本実施形態に係る宛名データ提供サービスとは、注文者からの依頼を受け、郵便番号、住所、氏名等といった送付先の情報が電子データ化された宛名データを注文者に提供するサービスである。
【００２０】
まず、注文者は、本サービスを提供する主体（以下、「本サービス主体」という。）が運営している店舗等に、注文者宛に過去に配達された年賀状を持ち込む。次に、本サービス主体は、持ち込まれた年賀状に記載された郵便番号、住所、氏名等の送付先の情報を抽出し、これをコンピュータに入力することによって、前記情報が電子データ化された宛名データを得る。そして、この得られた宛名データを、ＣＤ−ＲＯＭに保存して、注文者へと提供する。このようにして、送付先の情報が電子データ化された宛名データを注文者に提供する。
【００２１】
なお、以上の実施形態においては、電子データ化した宛名データを、ＣＤ−ＲＯＭに保存して、注文者へと提供しているが、本発明においては、ＣＤ−ＲＯＭ以外の記録媒体を利用しても構わない。例えば、ＤＶＤ−ＲＯＭやＵＳＢメモリ等を利用することも可能である。さらに、宛名データについては、記録媒体を利用せず、電子メールを利用することによって、注文者に提供しても構わない。また、以上の場合においては、宛名データをＣＳＶ形式のファイルで注文者に提供することが好ましい。こうすることで、注文者は、宛名データを、年賀状向けのアプリケーションソフトウェア等について利用する際に、より容易に利用することが可能となるからである。
【００２２】
次に、第二の実施形態として、宛名ラベル提供サービスについて説明する。本実施形態に係る宛名ラベル提供サービスとは、注文者からの依頼を受け、郵便番号、住所、氏名等といった送付先の情報が印字された宛名ラベルを注文者に提供するサービスである。
【００２３】
まず、注文者は、本サービス主体が運営している店舗等に、注文者宛に過去に配達された年賀状を持ち込む。次に、本サービス主体は、持ち込まれた年賀状に記載された郵便番号、住所、氏名等の送付先の情報を抽出し、これをコンピュータに入力することによって、前記情報の電子データを得る。そして、この得られた電子データから取得した送付先の情報を、送付先毎に一枚ずつ宛名ラベルに印字した後、この印字した宛名ラベルを注文者へと提供する。このようにして、送付先の情報が印字された宛名ラベルを注文者に提供する。
【００２４】
なお、以上の各実施形態においては、注文者から持ち込まれた年賀状から、郵便番号、住所、氏名等の送付先の情報を抽出し、この情報に基づいて宛名データや宛名ラベルを作成しているが、本発明においては、これらの情報が紙媒体に記載されていれば、年賀状以外のものであっても構わない。例えば、手書きの住所録や、アドレス帳の写し等であっても利用することができる。
【００２５】
また、以上の各実施形態において、注文者は、年賀状を店舗等に持ち込んでいるが、当然ながら、直接持ち込む以外にも、注文者は、宅配業者等を利用して、年賀状を店舗に送付しても構わない。さらに、本サービス主体も、注文者に、宛名データや宛名ラベルを提供する際、宅配業者等を利用して送付しても構わない。
【００２６】
また、本発明においては、注文者に宛名データや宛名ラベルを提供する際、宛名データと共に、注文者によって提供される年賀状の片面又は両面をスキャニングして得られる画像データも、注文者に提供するようにしても良い。こうすることで、注文者は、自身で年賀状をスキャニングすること無く、画像データを入手することができ、たとえ、年賀状を破棄したとしても、年賀状の内容をいつでも見られるようになるからである。また、以後、年賀状を保存する必要も無くなるので、新たな収納スペースを確保することが可能となる。
【産業上の利用可能性】
【００２７】
以上に説明したように、本発明によれば、配達済みの年賀状や手書きの住所録等の紙媒体に記載された情報に基づいて、宛名データを作成し、これを提供するサービス、及び、配達済みの年賀状や手書きの住所録等の紙媒体に記載された情報に基づいて作成した宛名データから、宛名ラベルを作成し、これを提供するサービスを開示・利用することができる。